(57)【特許請求の範囲】
【請求項１】
入力される幹線信号を増幅する幹線増幅部と、前記幹線信号の一部を分岐して増幅する分岐増幅部と、前記幹線増幅部又は前記分岐増幅部で増幅された信号を出力する第１の出力端子及び第２の出力端子と、前記幹線増幅部及び前記分岐増幅部と前記第１及び第２の出力端子との間に設けられる出力切替部とを具備してなるＣＡＴＶ伝送用増幅器であって、
前記出力切替部は、
前記幹線増幅部で増幅された幹線信号を第１の出力端子に出力すると共に、前記分岐増幅部で増幅された分岐信号を第２の出力端子に出力する端子仕様１と、前記幹線増幅部で増幅された幹線信号を前記第２の出力端子に出力すると共に、前記分岐増幅部で増幅された分岐信号を前記第１の出力端子に出力する端子仕様２とに切替える複数の機械式スイッチと、
前記複数の機械式スイッチからなる切替回路に端子仕様検知用の直流電流を供給する手段と、
前記機械式スイッチにより設定された端子仕様を表示する端子仕様表示ランプと、
前記機械式スイッチ切替時の設定エラーを表示するエラー表示ランプと、
前記機械式スイッチによる端子仕様切替えに伴う前記検知電流の方向に応じて前記端子仕様表示ランプを点灯制御する端子仕様表示手段と、
前記複数の機械式スイッチにより切替えられた前記端子仕様１及び端子仕様２以外の回路状態を検知して前記エラー表示ランプを点灯する設定エラー表示手段と、
を具備することを特徴とするＣＡＴＶ伝送用増幅器。
【発明の詳細な説明】
【技術分野】
【０００１】
本発明は、機械式スイッチを使用して複数の端子仕様に対応させることができるＣＡＴＶ伝送用増幅器に関する。
【背景技術】
【０００２】
ＣＡＴＶシステムでは、受信点装置（ヘッドエンド）で受信したテレビ信号を伝送する際、高品位の同軸ケーブルにより一定の間隔でＣＡＴＶ伝送用増幅器（幹線増幅器）を多段にカスケードに接続し、該増幅器で信号を増幅しながら加入者端末が集合するエリアまで伝送している（例えば、特許文献１参照。）。
【０００３】
既設の施設において、例えば製品寿命や故障、あるいは伝送帯域の拡張などでＣＡＴＶ伝送用増幅器を交換する場合がある。
【０００４】
上記ＣＡＴＶ伝送用増幅器において、幹線出力と分岐出力を備えた幹線分岐増幅器、または幹線出力と分配出力を備えた幹線分配増幅器の端子仕様は、図７（ａ）〜（ｄ）に示すようにメーカーによって種々のものが使用されている。
【０００５】
図７（ａ）は、１つの幹線入力を１つの幹線出力と、４つの分岐出力とする幹線・分岐型（１）の例を示している。
【０００６】
図７（ｂ）は、１つの幹線入力を１つの幹線出力と、２つの分岐出力とする幹線・分岐型（２）の例を示している。
【０００７】
図７（ｃ）は、１つの幹線入力を５つの分岐出力とする分岐型の例を示している。
【０００８】
図７（ｄ）は、１つの幹線入力を３つの３つの幹線出力に分配する幹線分配型の例を示している。
【０００９】
上記のように幹線分岐増幅器や幹線分配増幅器の端子仕様は、複数の出力端子が存在し、接続する端子に応じて出力レベルや信号品質（歪み特性や雑音特性）が異なり、メーカーによって種々のものが使用されているが、多くは図８（ａ）に示す端子仕様１と、同図（ｂ）に示す端子仕様２の２種類に分けられる。なお、図８は幹線分岐増幅器１０の端子仕様を示しているが、幹線分配増幅器においても同様である。
【００１０】
図８（ａ）に示す幹線分岐増幅器１０の端子仕様１は、ケース本体の左側に入力端子１１と第１の分岐出力端子１３ａが設けられ、右側に幹線出力端子１２と第２の分岐出力端子１３ｂが設けられている。この場合、入力端子１１とケース本体の左右対称の位置に幹線出力端子１２が設けられる。また第１の分岐出力端子１３ａとケース本体の左右対称の位置に第２の分岐出力端子１３ｂが設けられる。
【００１１】
図８（ｂ）に示す幹線分岐増幅器１０の端子仕様２は、ケース本体の左側に入力端子１１と第１の分岐出力端子１３ａが設けられ、右側に第２の分岐出力端子１３ｂと幹線出力端子１２とが設けられている。この場合、入力端子１１とケース本体の左右対称の位置に第２の分岐出力端子１３ｂが設けられ、第１の分岐出力端子１３ａとケース本体の左右対称の位置に幹線出力端子１２が設けられる。すなわち、図８（ｂ）に示す幹線分岐増幅器１０の端子仕様２は、上記端子仕様１に対して幹線出力端子１２と第２の分岐出力端子１３ｂの位置が入れ替わっている。
【００１２】
国内のメーカーでは、現在、幹線分岐増幅器１０として図８（ａ）に示す端子仕様１を採用しているが、海外メーカーなどでは、端子仕様２を採用している所もある。また、古い機器では、端子仕様２を採用している場合がある。
【００１３】
しかし、現在では、図８（ｂ）に示す端子仕様２を採用しているメーカーが少なくなっている。このため端子仕様２の増幅器を元位置交換で改修、すなわちケーブルはそのまま使用して増幅器のみ交換する場合には、図８（ａ）に示した端子仕様１の増幅器を選択せざるを得ない場合が多く、幹線出力のケーブルと分岐出力のケーブルを交差して接続しなければならない状況となり、施工が複雑化し、ケーブルが届かず、ケーブルを引き直さなければならないという問題が生じている。
【００１４】
このような問題を解決するため、従来では、上記図８（ａ）に示した端子仕様１の幹線分岐増幅器１０において、図９に示すように幹線増幅部１４及び分岐増幅部１５の出力側に切替手段１６を設け、この切替手段１６により、幹線増幅部１４で増幅された幹線信号を幹線出力端子１２に出力し、分岐増幅部１５で増幅された分岐信号を第２の分岐出力端子１３ｂに出力する端子仕様１と、幹線増幅部１４で増幅された幹線信号を第２の分岐出力端子１３ｂ側に出力し、分岐増幅部１５で増幅された分岐信号を幹線出力端子１２側に出力する端子仕様２とに切替えられるように構成している。
【００１５】
この場合、上記切替手段１６としては、
（１）挿入型切替プリント基板を１枚使用し、基板を差し替えて回路を切替えるもの。
【００１６】
（２）挿入型切替プリント基板を複数枚使用し、基板を差し替えて回路を切替えるもの。
【００１７】
（３）電子スイッチを使用して回路を切替えるもの。
【００１８】
（４）機械式スイッチ、例えばスライドスイッチを４個使用して回路を切替えるもの。
【００１９】
等が考えられる。
【００２０】
上記（１）の挿入型切替プリント基板を１枚使用し、基板を差し替えて回路を切替えるものは、使い勝手は良いが幹線出力と分岐出力とのアイソレーション確保が困難である。
【００２１】
上記（２）の挿入型切替プリント基板を複数枚使用し、基板を差し替えて回路を切替えるものは、幹線出力と分岐出力とのアイソレーションを確保できるが、構成が複雑になり、材料費が高価になる。
【００２２】
上記（３）の電子スイッチを使用して回路を切替えるものは、高レベルの信号を切替えるには高価なスイッチ素子が必要となり、また、スイッチ素子を駆動するスイッチ回路が別途必要になると共に歪みを生じ易い。
【００２３】
上記（４）のスライドスイッチを４個使用して回路を切替えるものは、スイッチの数が多くなるが、スイッチ１個当りの単価が安く、また、各スイッチを一定値以上の間隔で配置することにより、幹線出力と分岐出力とのアイソレーションを確保できる。
【００２４】
図１０は切替手段１６として、スライドスイッチを４個使用した切替回路２０により端子仕様を切替える場合の回路構成を示したもので、（ａ）は端子仕様１となるようにスライドスイッチを切替えた場合の回路状態、（ｂ）は端子仕様２となるようにスライドスイッチを切替えた場合の回路状態を示している。
【００２５】
図１０に示す切替回路２０は、第１の入力端子２１、第２の入力端子２２、第１の出力端子２３、第２の出力端子２４、及び第１〜第４のスライドスイッチ２５ａ〜２５ｄを備えている。上記第１の入力端子２１には、図９に示した幹線分岐増幅器１０の幹線増幅部１４で増幅された幹線信号が入力され、第２の入力端子２２には分岐増幅部１５で増幅された分岐信号が入力される。また、第１の出力端子２３は、幹線分岐増幅器１０における幹線出力端子１２に接続され、第２の出力端子２４は第２の分岐出力端子１３ｂに接続される。
【００２６】
上記第１〜第４のスライドスイッチ２５ａ〜２５ｄは、固定接点ａ１、ｂ１、ｃ１及び可動接点Ｄ１からなる第１の回路と、固定接点ａ２、ｂ２、ｃ２及び可動接点Ｄ２からなる第２の回路を備え、可動接点Ｄ１、Ｄ２を上側の固定接点ａ１、ａ２側に切替えた場合は、固定接点ａ１−ｂ１間及び固定接点ａ２−ｂ２間を接続し、可動接点Ｄ１、Ｄ２を下側の固定接点ｃ１、ｃ２側に切替えた場合は、固定接点ｂ１−ｃ１間及び固定接点ｂ２−ｃ２間を接続する。
【００２７】
上記第１のスライドスイッチ２５ａは、固定接点ａ１、ｂ２が第１の入力端子２１に接続され、固定接点ｃ１、ａ２が接地される。第１のスライドスイッチ２５ａの固定接点ｂ１は第２のスライドスイッチ２５ｂの固定接点ｂ２に接続され、第１のスライドスイッチ２５ａの固定接点ｂ２は第４のスライドスイッチ２５ｄの固定接点ｂ１に接続される。
【００２８】
また、第２のスライドスイッチ２５ｂは、固定接点ｃ１、ａ２が第１の出力端子２３に接続され、固定接点ａ１、ｃ２が接地される。
【００２９】
第３のスライドスイッチ２５ｃは、固定接点ｃ１、ａ２が第２の入力端子２２に接続され、固定接点ａ１、ｃ２が接地される。また、第３のスライドスイッチ２５ｃの固定接点ｂ２は第２のスライドスイッチ２５ｂの固定接点ｂ１に接続され、第３のスライドスイッチ２５ｃの固定接点ｂ１は第４のスライドスイッチ２５ｄの固定接点ｂ２に接続される。
【００３０】
第４のスライドスイッチ２５ｄは、固定接点ａ１、ｃ２が第２の出力端子２４に接続され、固定接点ｃ１、ａ２が接地される。
【００３１】
上記のように構成された切替回路２０は、端子仕様１の状態とする場合には、図１０（ａ）に示すように第１のスライドスイッチ２５ａ及び第２のスライドスイッチ２５ｂの可動接点Ｄ１、Ｄ２を上側の固定接点ａ１、ａ２側に切替え、第３のスライドスイッチ２５ｃ及び第４のスライドスイッチ２５ｄの可動接点Ｄ１、Ｄ２を下側の固定接点ｃ１、ｃ２側に切替える。
【００３２】
第１〜第４のスライドスイッチ２５ａ〜２５ｄを図１０（ａ）に示したように切替えた場合、幹線増幅部１４から第１の入力端子２１に入力された幹線信号は、矢印Ｃ１で示すように第１のスライドスイッチ２５ａの固定接点ａ１−ｂ１を通り、更に第２のスライドスイッチ２５ｂの固定接点ｂ２−ａ２を通って第１の出力端子２３から幹線出力端子１２へ出力される。
【００３３】
また、分岐増幅部１５から第２の入力端子２２に入力された分岐信号は、矢印Ｃ２で示すように第３のスライドスイッチ２５ｃの固定接点ｃ１−ｂ１を通り、更に第４のスライドスイッチ２５ｄの固定接点ｂ２−ｃ２を通って第２の出力端子２４から第２の分岐出力端子１３ｂに出力される。
【００３４】
この結果、第１の入力端子２１に入力された幹線信号は第１の出力端子２３から出力され、第２の入力端子２２に入力された分岐信号は第２の出力端子２４から出力されるようになり、図９の幹線分岐増幅器１０は、端子仕様１の状態に切替えられる。
【００３５】
また、上記幹線分岐増幅器１０を端子仕様２の状態となるように切替回路２０を切替える場合には、図１０（ｂ）に示すように第１のスライドスイッチ２５ａ及び第２のスライドスイッチ２５ｂの可動接点Ｄ１、Ｄ２を下側の固定接点ｃ１、ｃ２側に切替え、第３のスライドスイッチ２５ｃ及び第４のスライドスイッチ２５ｄの可動接点Ｄ１、Ｄ２を上側の固定接点ａ１、ａ２側に切替える。
【００３６】
第１〜第４のスライドスイッチ２５ａ〜２５ｄを図１０（ｂ）に示したように切替えた場合、幹線増幅部１４から第１の入力端子２１に入力された幹線信号は、矢印Ｃ１で示すように第１のスライドスイッチ２５ａの固定接点ｃ２−ｂ２を通り、更に第４のスライドスイッチ２５ｄの固定接点ｂ１−ａ１を通って第２の出力端子２４から第２の分岐出力端子１３ｂ側へ出力される。
【００３７】
また、分岐増幅部１５から第２の入力端子２２に入力された分岐信号は、矢印Ｃ２で示すように第３のスライドスイッチ２５ｃの固定接点ａ２−ｂ２を通り、更に第２のスライドスイッチ２５ｂの固定接点ｂ１−ｃ１を通って第１の出力端子２３から幹線出力端子１２に出力される。
【００３８】
すなわち、第１〜第４のスライドスイッチ２５ａ〜２５ｄを図１０（ｂ）に示したように切替えた場合には、第１〜第４のスライドスイッチ２５ａ〜２５ｄがクロスした状態に接続され、幹線増幅部１４から第１の入力端子２１に入力された幹線信号は、第２の出力端子２４から幹線出力として第２の分岐出力端子１３ｂへ出力され、また、分岐増幅部１５から第２の入力端子２２に入力された分岐信号は、第１の出力端子２３から分岐出力として幹線出力端子１２側に出力される。この結果、上記幹線分岐増幅器１０は、端子仕様２の状態に切替えられる。
【先行技術文献】
【特許文献】
【００３９】
【特許文献１】特開２００４−３２０４１６号公報
【発明の概要】
【発明が解決しようとする課題】
【００４０】
上記図１０（ａ）、（ｂ）に示したように、４つのスライドスイッチ２５ａ〜２５ｄを切替操作して、幹線分岐増幅器１０を端子仕様１あるいは端子仕様２の状態に容易に切替えることができる。
【００４１】
しかし、上記４つのスライドスイッチ２５ａ〜２５ｄは、幹線出力と分岐出力との間のアイソレーションを良好な状態に保つ必要から、近接配置することができないと共に連動して動作させることができない。このため４つのスライドスイッチ２５ａ〜２５ｄは、所定の距離を保って単独配置しており、幹線分岐増幅器１０を端子仕様１あるいは端子仕様２に切替える場合、各スライドスイッチ２５ａ〜２５ｄをそれぞれ別個に操作することから切替間違いを生じる懸念がある。また、スライドスイッチ２５ａ〜２５ｄの切替え間違いを生じた場合、その切替え間違いの検知手段を備えておらず、作業者に間違いを報知することができない。
【００４２】
本発明は上記の課題を解決するためになされたもので、幹線分岐増幅器や幹線分配増幅器の端子仕様を複数の機械式スイッチを用いて切替える場合、スイッチ操作時の設定エラーを確実に検知して作業者に報知することができるＣＡＴＶ伝送用増幅器を提供することを目的とする。
【課題を解決するための手段】
【００４３】
本発明は、入力される幹線信号を増幅する幹線増幅部と、前記幹線信号の一部を分岐して増幅する分岐増幅部と、前記幹線増幅部又は前記分岐増幅部で増幅された信号を出力する第１の出力端子及び第２の出力端子と、前記幹線増幅部及び前記分岐増幅部と前記第１及び第２の出力端子との間に設けられる出力切替部とを具備してなるＣＡＴＶ伝送用増幅器であって、
前記出力切替部は、
前記幹線増幅部で増幅された幹線信号を第１の出力端子に出力すると共に、前記分岐増幅部で増幅された分岐信号を第２の出力端子に出力する端子仕様１と、前記幹線増幅部で増幅された幹線信号を前記第２の出力端子に出力すると共に、前記分岐増幅部で増幅された分岐信号を前記第１の出力端子に出力する端子仕様２とに切替える複数の機械式スイッチと、
前記複数の機械式スイッチからなる切替回路に端子仕様検知用の直流電流を供給する手段と、
前記機械式スイッチにより設定された端子仕様を表示する端子仕様表示ランプと、
前記機械式スイッチ切替時の設定エラーを表示するエラー表示ランプと、
前記機械式スイッチによる端子仕様切替えに伴う前記検知電流の方向に応じて前記端子仕様表示ランプを点灯制御する端子仕様表示手段と、
前記複数の機械式スイッチにより切替えられた前記端子仕様１及び端子仕様２以外の回路状態を検知して前記エラー表示ランプを点灯する設定エラー表示手段とを具備することを特徴とする。
【発明の効果】
【００４４】
本発明によれば、ＣＡＴＶ伝送用増幅器の端子仕様を複数の機械式スイッチを用いて切替設定する場合、スイッチ操作によって端子仕様を容易に切替えることができると共に、スイッチ操作時の設定エラーを確実に検知して作業者に報知することができる。
【図面の簡単な説明】
【００４５】
【図１】本発明の一実施形態に係る幹線分岐増幅器の切替回路の回路構成図である。
【図２】同実施形態における切替回路を端子仕様１に設定した場合の動作説明図である。
【図３】同実施形態における切替回路を端子仕様２に設定した場合の動作説明図である。
【図４】同実施形態における切替回路の端子仕様切替時に設定エラーを生じた場合の動作説明図である。
【図５】同実施形態に係る切替回路の端子仕様切替時における端子仕様表示用発光ダイオード及び設定エラー表示用発光ダイオードの表示状態を示す図である。
【図６】本発明の実施形態に係る幹線分岐増幅器の具体的な構成例を示すブロック図である。
【図７】従来のＣＡＴＶ伝送用増幅器における各種端子仕様例を示すブロック図である。
【図８】本発明の対象とする幹線分岐増幅器の端子仕様を示し、（ａ）は端子仕様１の構成図、（ｂ）は端子仕様２の構成図である。
【図９】端子仕様１、２を切替える切替手段を備えた幹線分岐増幅器の構成を示すブロック図である。
【図１０】４個のスライドスイッチを使用して幹線分岐増幅器の端子仕様を切替える従来の切替回路の構成を示し、（ａ）は端子仕様１に切替えた場合の回路状態図、（ｂ）は端子仕様２に切替えた場合の回路状態図である。
【発明を実施するための形態】
【００４６】
以下、本発明の実施の形態について図面を参照して詳細に説明する。
【００４７】
図１は、本発明の一実施形態に係るＣＡＴＶ伝送用増幅器、例えば幹線分岐増幅器（トランクアンプ）において、端子仕様１と端子仕様２とを切替える切替回路３０の回路構成図である。この切替回路３０は、図９に示した幹線分岐増幅器における切替手段１６に対応している。
【００４８】
上記切替回路３０は、第１の入力端子３１、第２の入力端子３２、第１の出力端子３３、第２の出力端子３４、及び４個の機械式スイッチ例えば第１〜第４のスライドスイッチ３５ａ〜３５ｄを備えている。上記第１の入力端子３１には、図９に示した幹線分岐増幅器１０の幹線増幅部１４で増幅された信号が入力され、第２の入力端子３２には分岐増幅部１５で増幅された信号が入力される。また、第１の出力端子３３は、上記幹線分岐増幅器１０における幹線出力端子１２に接続され、第２の出力端子３４は第２の分岐出力端子１３ｂに接続される。
【００４９】
上記第１〜第４のスライドスイッチ３５ａ〜３５ｄは、固定接点ａ１、ｂ１、ｃ１及び可動接点Ｄ１からなる第１の回路と、固定接点ａ２、ｂ２、ｃ２及び可動接点Ｄ２からなる第２の回路を備え、可動接点Ｄ１、Ｄ２を上側の固定接点ａ１、ａ２側に切替えた場合は、固定接点ａ１−ｂ１間及び固定接点ａ２−ｂ２間を接続し、可動接点Ｄ１、Ｄ２を下側の固定接点ｃ１、ｃ２側に切替えた場合は、固定接点ｂ１−ｃ１間及び固定接点ｂ２−ｃ２間を接続する。
【００５０】
上記第１の入力端子３１は、コンデンサ４１を介して第１のスライドスイッチ３５ａの固定接点ａ１、ｃ２に接続される。この固定接点ａ１、ｃ２には、直流電源Ｅ１が抵抗４２及びチョークコイル４３を直列に介して供給される。上記抵抗４２とチョークコイル４３との接続点は、コンデンサ４４を介して接地される。また、第１のスライドスイッチ３５ａの固定接点ｃ１、ａ２は、それぞれコンデンサ４５、４６を介して接地される。更に、第１のスライドスイッチ３５ａの固定接点ｂ１は第２のスライドスイッチ３５ｂの固定接点ｂ２に接続され、第１のスライドスイッチ３５ａの固定接点ｂ２は第４のスライドスイッチ３５ｄの固定接点ｂ１に接続される。
【００５１】
また、第２の入力端子３２は、コンデンサ４７を介して第３のスライドスイッチ３５ｃの固定接点ｃ１、ａ２に接続されると共に、チョークコイル４８及び抵抗４９を直列に介して例えばＮＰＮ形トランジスタ５１のベースに接続される。上記チョークコイル４８と抵抗４９との接続点は、コンデンサ５０を介して接地される。トランジスタ５１は、エミッタが接地され、コレクタに直流電源Ｅ２が抵抗５２を介して供給される。トランジスタ５１のコレクタと接地間には、エラー表示ランプ例えば順方向接続の発光ダイオード（ＬＥＤ）５３が設けられる。この発光ダイオード５３は、第１〜第４のスライドスイッチ３５ａ〜３５ｄの切替操作が正しく行われたかどうかを表示するためのもので、端子仕様１または端子仕様２への切替操作が正しく行われた場合に消灯し、誤った操作が行われた場合に例えば赤色で点灯する。
【００５２】
上記第３のスライドスイッチ３５ｃは、固定接点ａ１、ｃ２がそれぞれコンデンサ５４、５５を介して接地される。また、第３のスライドスイッチ３５ｃの固定接点ｂ２は第２のスライドスイッチ３５ｂの固定接点ｂ１に接続され、第３のスライドスイッチ３５ｃの固定接点ｂ１は第４のスライドスイッチ３５ｄの固定接点ｂ２に接続される。
【００５３】
また、第２のスライドスイッチ３５ｂは、固定接点ａ１、ｃ２がそれぞれコンデンサ５６、５７を介して接地され、固定接点ｃ１、ａ２がコンデンサ５８を介して第１の出力端子３３に接続される。
【００５４】
また、第４のスライドスイッチ３５ｄは、固定接点ｃ１、ａ２がそれぞれコンデンサ５９、６０を介して接地され、固定接点ａ１、ｃ２がコンデンサ６１を介して第２の出力端子３４に接続される。
【００５５】
そして、第２のスライドスイッチ３５ｂの固定接点ｃ１、ａ２と第４のスライドスイッチ３５ｄの固定接点ａ１、ｃ２との間に、チョークコイル６２、抵抗６３、チョークコイル６４の直列回路が設けられる。上記チョークコイル６２と抵抗６３との接続点及び抵抗６３とチョークコイル６４との接続点は、それぞれコンデンサ６５、６６を介して接地される。更に、抵抗６３には、２つの端子仕様表示ランプ例えば第１の発光ダイオード６７及び第２の発光ダイオード６８が逆極性となるように並列に接続される。この２つの発光ダイオード６７、６８は、第１〜第４のスライドスイッチ３５ａ〜３５ｄの切替操作によって端子仕様１、２の何れが選択されたかを表示するためのもので、端子仕様１が選択された場合は第１の発光ダイオード６７が例えば緑色で点灯し、端子仕様２が選択された場合は第２の発光ダイオード６８が緑色で点灯する。
【００５６】
上記の構成において、図９に示した幹線分岐増幅器１０を端子仕様１の状態にする場合には、第１のスライドスイッチ３５ａ及び第２のスライドスイッチ３５ｂの可動接点Ｄ１、Ｄ２を上側、すなわち固定接点ａ１、ａ２側に切替えると共に、第３のスライドスイッチ３５ｃ及び第４のスライドスイッチ３５ｄの可動接点Ｄ１、Ｄ２を下側、すなわち固定接点ｃ１、ｃ２側に切替える。
【００５７】
また、幹線分岐増幅器１０を端子仕様２の状態にする場合には、第１のスライドスイッチ３５ａ及び第２のスライドスイッチ３５ｂの可動接点Ｄ１、Ｄ２を下側、すなわち固定接点ｃ１、ｃ２側に切替えると共に、第３のスライドスイッチ３５ｃ及び第４のスライドスイッチ３５ｄの可動接点Ｄ１、Ｄ２を上側、すなわち固定接点ａ１、ａ２側に切替える。
【００５８】
第１〜第４のスライドスイッチ３５ａ〜３５ｄが正しく切替えられている状態では、トランジスタ５１にベース電流が流れてオン状態となり、発光ダイオード５３が消灯している。また、このとき端子仕様１を選択した場合は第１の発光ダイオード６７が点灯し、端子仕様２を選択した場合は第２の発光ダイオード６８が点灯する。そして、第１〜第４のスライドスイッチ３５ａ〜３５ｄの切替操作が正しく行われなかった場合は、トランジスタ５１がオフして発光ダイオード５３が点灯し、発光ダイオード６７、６８の両方が消灯する。
【００５９】
以下、第１〜第４のスライドスイッチ３５ａ〜３５ｄの切替操作に伴う具体的な回路動作について図２及び図３を参照して説明する。
【００６０】
［端子仕様１への切替］
図２は、第１のスライドスイッチ３５ａ及び第２のスライドスイッチ３５ｂの可動接点Ｄ１、Ｄ２を上側の固定接点ａ１、ａ２側に切替えると共に、第３のスライドスイッチ３５ｃ及び第４のスライドスイッチ３５ｄの可動接点Ｄ１、Ｄ２を下側の固定接点ｃ１、ｃ２側に切替えて、端子仕様１を選択した場合の回路状態を示したものである。図２において、破線Ａ１は幹線信号、破線Ａ２は分岐信号、実線Ｂは検知電流の流れを示している。
【００６１】
端子仕様１を選択した場合、幹線増幅部１４から第１の入力端子３１に入力された幹線信号は、破線Ａ１に示すようにコンデンサ４１、第１のスライドスイッチ３５ａの固定端子ａ１−ｂ１、及び第２のスライドスイッチ３５ｂの固定端子ｂ２−ａ２を通り、更にコンデンサ５８及び第１の出力端子３３を経て幹線出力端子１２へ送られる。
【００６２】
また、分岐増幅部１５から第２の入力端子３２に入力された分岐信号は、破線Ａ２に示すようにコンデンサ４７、第３のスライドスイッチ３５ｃの固定接点ｃ１−ｂ１、及び第４のスライドスイッチ３５ｄの固定端子ｂ２−ｃ２を通り、更にコンデンサ６１及び第２の出力端子３４を経て第２の分岐出力端子１３ｂへ送られる。
【００６３】
一方、検知電流は、実線Ｂに示すように直流電源Ｅ１から抵抗４２、チョークコイル４３を介して第１のスライドスイッチ３５ａの固定端子ａ１−ｂ１、及び第２のスライドスイッチ３５ｂの固定端子ｂ２−ａ２を通り、更にチョークコイル６２、抵抗６３、チョークコイル６４、第４のスライドスイッチ３５ｄの固定接点ｃ２−ｂ２、第３のスライドスイッチ３５ｃの固定端子ｂ１−ｃ１、チョークコイル４８、抵抗４９を経てトランジスタ５１のベースに流れる。この結果、トランジスタ５１がオン状態となり、コレクタ電流が流れて抵抗５２による電圧降下を生じ、コレクタ電位が低下して発光ダイオード５３は消灯する。この発光ダイオード５３が消灯状態となっていることから、第１〜第４のスライドスイッチ３５ａ〜３５ｄが正しく切替えられていることが分かる。
【００６４】
また、上記実線Ｂに示す検知電流によって抵抗６３の両端にチョークコイル６２側が正となる電圧が発生し、第１の発光ダイオード６７に電流が流れる。これにより第１の発光ダイオード６７が点灯し、幹線分岐増幅器は端子仕様１の状態に切替えられたことが表示される。
【００６５】
［端子仕様２への切替］
図３は、第１のスライドスイッチ３５ａ及び第２のスライドスイッチ３５ｂの可動接点Ｄ１、Ｄ２を下側の固定接点ｃ１、ｃ２に切替えると共に、第３のスライドスイッチ３５ｃ及び第４のスライドスイッチ３５ｄの可動接点Ｄ１、Ｄ２を上側の固定接点ａ１、ａ２に切替えて、端子仕様２を選択した場合の回路状態を示したものである。図３において、破線Ａ１は幹線信号、破線Ａ２は分岐信号、実線Ｂは検知電流の流れを示している。
【００６６】
端子仕様２を選択した場合、幹線増幅部１４から第１の入力端子３１に入力された幹線信号は、破線Ａ１に示すようにコンデンサ４１、第１のスライドスイッチ３５ａの固定端子ｃ２−ｂ２、及び第４のスライドスイッチ３５ｄの固定端子ｂ１−ａ１を通り、更にコンデンサ６１及び第２の出力端子３４を経て第２の分岐出力端子１３ｂへ送られる。
【００６７】
また、分岐増幅部１５から第２の入力端子３２に入力された分岐信号は、破線Ａ２に示すようにコンデンサ４７、第３のスライドスイッチ３５ｃの固定接点ａ２−ｂ２、及び第２のスライドスイッチ３５ｂの固定端子ｂ１−ｃ１を通り、更にコンデンサ５８及び第１の出力端子３３を経て幹線出力端子１２へ送られる。
【００６８】
この結果、幹線増幅部１４から第１の入力端子３１に入力された幹線信号は、第２の出力端子３４から第２の分岐出力端子１３ｂ側へ出力され、分岐増幅部１５から第２の入力端子３２に入力された分岐信号は、第１の出力端子３３から幹線出力端子１２側へ出力されるようになり、端子仕様１から端子仕様２への切替えが行われる。
【００６９】
一方、検知電流は、実線Ｂに示すように直流電源Ｅ１から抵抗４２、チョークコイル４３を介して第１のスライドスイッチ３５ａの固定端子ｃ２−ｂ２、及び第４のスライドスイッチ３５ｄの固定端子ｂ１−ａ１を通り、更にチョークコイル６４、抵抗６３、チョークコイル６２、第２のスライドスイッチ３５ｂの固定端子ｃ１−ｂ１、第３のスライドスイッチ３５ｃの固定接点ｂ２−ａ２、チョークコイル４８、抵抗４９を経てトランジスタ５１のベースに流れる。この結果、トランジスタ５１がオン状態となり、コレクタ電位が低下して発光ダイオード５３は消灯する。この発光ダイオード５３が消灯状態となっていることから、第１〜第４のスライドスイッチ３５ａ〜３５ｄが正しく切替えられていることが分かる。
【００７０】
また、上記実線Ｂに示す検知電流によって抵抗６３の両端にチョークコイル６４側が正となる電圧が発生し、発光ダイオード６８に電流が流れる。これにより第２の発光ダイオード６８が点灯し、幹線分岐増幅器は端子仕様２の状態に切替えられたことが表示される。
【００７１】
［設定エラー］
図４は、図２の端子仕様１から図３の端子仕様２に切替える際に、第１のスライドスイッチ３５ａ、第３のスライドスイッチ３５ｃ、第４のスライドスイッチ３５ｄは正しく切替えたが、第２のスライドスイッチ３５ｂの設定をエラーし、可動接点Ｄ１、Ｄ２を上側の固定端子ａ１、ａ２に切替設定したままの状態とした場合の回路状態を示したものである。
【００７２】
第１〜第４のスライドスイッチ３５ａ〜３５ｄを図４に示すように切替えた場合、幹線増幅部１４から第１の入力端子３１に入力された幹線信号は、破線Ａ１に示すようにコンデンサ４１、第１のスライドスイッチ３５ａの固定端子ｃ２−ｂ２、及び第４のスライドスイッチ３５ｄの固定端子ｂ１−ａ１を通り、更にコンデンサ６１及び第２の出力端子３４を経て第２の分岐出力端子１３ｂへ送られる。
【００７３】
しかし、分岐増幅部１５から第２の入力端子３２に入力された分岐信号は、破線Ａ２に示すようにコンデンサ４７、第３のスライドスイッチ３５ｃの固定接点ａ２−ｂ２を通って第２のスライドスイッチ３５ｂに達するが、固定接点ｂ１−ａ１及びコンデンサ５６を介して接地されてしまい、第１の出力端子３３側には出力されない。
【００７４】
一方、検知電流は、実線Ｂに示すように直流電源Ｅ１から抵抗４２、チョークコイル４３を介して第１のスライドスイッチ３５ａの固定端子ｃ２−ｂ２、及び第４のスライドスイッチ３５ｄの固定端子ｂ１−ａ１を通り、更にチョークコイル６４、抵抗６３、チョークコイル６２、第２のスライドスイッチ３５ｂの固定端子ａ２−ｂ２を経て第１のスライドスイッチ３５ａの固定端子ｂ１−ｃ１に向かうが、この固定端子ｃ１と接地間に設けられているコンデンサ４５により遮断される。このため検知電流は流れず、抵抗６３の両端に電圧が発生しないので、発光ダイオード６７、６８の両方とも点灯しない。これにより幹線分岐増幅器は、端子仕様１、２の何れにも正しく切替えられていないことがわかる。
【００７５】
また、上記検知電流が流れないことから、トランジスタ５１にはベース電流が供給されない。この結果、トランジスタ５１はオフされてコレクタがオープン状態となり、直流電源Ｅ２が抵抗５２を介して発光ダイオード５３に供給されるようになる。これにより発光ダイオード５３が点灯し、第１〜第４のスライドスイッチ３５ａ〜３５ｄに設定エラーを生じていることが報知される。
【００７６】
上記図４では、第２のスライドスイッチ３５ｂの設定をエラーした場合について説明したが、第１〜第４のスライドスイッチ３５ａ〜３５ｄの何れか１つあるいは複数のスイッチに設定エラーを生じた場合においても、上記の場合と同様に端子仕様を示す発光ダイオード６７、６８が消灯し、設定エラーを示す発光ダイオード５３が点灯する。
【００７７】
図５は、第１〜第４のスライドスイッチ３５ａ〜３５ｄの切替位置と、端子仕様表示用の発光ダイオード６７、６８及び設定エラー表示用の発光ダイオード５３の点灯状態を示している。
【００７８】
図５（ａ）は、第１のスライドスイッチ３５ａ及び第２のスライドスイッチ３５ｂの可動接点Ｄ１、Ｄ２を上側（固定接点ａ１、ａ２側）に切替え、第３のスライドスイッチ３５ｃ及び第４のスライドスイッチ３５ｄを下側（固定接点ｃ１、ｃ２側）に切替えた場合で、端子仕様１を表示する第１の発光ダイオード６７が点灯し、端子仕様２を表示する第２の発光ダイオード６８が消灯する。このとき設定エラー表示用の発光ダイオード５３は消灯している。
【００７９】
図５（ｂ）は、第１のスライドスイッチ３５ａ及び第２のスライドスイッチ３５ｂの可動接点Ｄ１、Ｄ２を下側（固定接点ｃ１、ｃ２側）に切替え、第３のスライドスイッチ３５ｃ及び第４のスライドスイッチ３５ｄを上側（固定接点ａ１、ａ２側）に切替えた場合で、端子仕様１を表示する第１の発光ダイオード６７が消灯し、端子仕様２を表示する第２の発光ダイオード６８が点灯する。このとき設定エラー表示用の発光ダイオード５３は消灯している。
【００８０】
図５（ｃ）は、第１〜第４のスライドスイッチ３５ａ〜３５ｄを上記図５（ａ）、（ｂ）以外の状態に切替えた場合で、端子仕様１を表示する第１の発光ダイオード６７及び端子仕様２を表示する第２の発光ダイオード６８が共に消灯し、設定エラー表示用の発光ダイオード５３が点灯する。この発光ダイオード５３が点灯することにより、第１〜第４のスライドスイッチ３５ａ〜３５ｄに設定エラーを生じていることを作業者に報知する。
【００８１】
次に、幹線分岐増幅器の具体的な構成例について説明する。
【００８２】
図６は、本発明の実施形態に係る下り信号用の幹線分岐増幅器７０の具体的な構成例を示すブロック図である。
【００８３】
図６において、７１は下り入力端子で、この下り入力端子７１には、ＣＡＴＶシステムのヘッドエンド装置（図示せず）側から下り方向に送られてくる例えば７０〜７７０ＭＨｚのＣＡＴＶ下り信号（幹線入力信号）が入力される。下り入力端子７１に入力された幹線信号は、ＰＳＦ（パワーソースフィルタ）７２及びモニタ信号分岐用の方向性結合器７３を介してＥＱ（イコライザ）カード７５に入力される。
【００８４】
ＰＳＦ７２は、動作電源が下り信号に重畳して供給される場合に、下り信号から動作電源を分離して電源回路（図示せず）へ供給する。
【００８５】
上記方向性結合器７３は、下り信号の一部（例えば−２０ｄＢ）をモニタ端子７４へ分岐する。このモニタ端子７４により、下り入力端子７１に入力される幹線入力信号をモニタする。
【００８６】
上記ＥＱカード７５は、下り信号の周波数偏差を補正して出力する。このＥＱカード７５で補正された信号は、信号減衰量を設定する可変アッテネータ（ＡＴＴ）７６、増幅器７７、モニタ信号を分岐する方向性結合器７８を介してＡＧＣ回路（自動利得調整回路）８０へ送られる。上記方向性結合器７８は、信号の一部（例えば−２０ｄＢ）を分離して内部調整用モニタ端子７９へ出力する。上記ＡＧＣ回路８０で利得調整された信号は、増幅器８１、方向性結合器８２、ハイパスフィルタ（ＨＰＦ）８３を介して２分配器８４へ送られる。
【００８７】
上記方向性結合器８２の分岐端子には、バンドパスフィルタ（ＢＰＦ）８５が接続される。このバンドパスフィルタ８５は、所定周波数のパイロットキャリアをＡＧＣ用信号として選択する。バンドパスフィルタ８５で選択されたパイロットキャリアは、ＡＧＣ設定用アッテネータ８６で信号レベルが設定され、増幅器８７で増幅されてＡＧＣ制御回路８８へ送られる。このＡＧＣ制御回路８８は、手動操作により利得制御のレベル調整を行うＭＧＣコントロール回路８９と共に切替スイッチ９０を介してＡＧＣ回路８０の制御端子に接続される。増幅器の利得制御を自動的に行う場合は切替スイッチ９０によりＡＧＣ回路８０を選択し、増幅器の利得を手動で設定する場合は切替スイッチ９０によりＭＧＣコントロール回路８９を選択する。ＡＧＣ制御回路８８は、検波ダイオードを備え、この検波ダイオードにより検波したＡＧＣ信号のレベルに応じてＡＧＣ回路８０の動作を制御する。ＡＧＣ回路８０は、例えばピンダイオードによりアッテネータを構成しており、ＡＧＣ制御回路８８あるいはＭＧＣコントロール回路８９からの制御信号によって減衰量が調整される。
【００８８】
また、上記２分配器８４により分配された一方の信号は、温度補正回路９１、可変アッテネータ９２、増幅器９３、スロープ設定回路９４、増幅器９５を介して取出される。この増幅器９５の電源端子には、アンプＯＮ／ＯＦＦスイッチ９６を介して動作電源が供給される。上記増幅器９５で増幅された信号は、幹線信号として切替回路３０の第１の入力端子３１に入力される。この切替回路３０は、上記実施形態で説明したものと同じ構成であるので、詳細な説明は省略する。上記切替回路３０の第１の出力端子３３から出力される信号は、方向性結合器９７、ＰＳＦ９８を介して幹線出力端子９９へ送られる。
【００８９】
また、上記２分配器８４で２分配された他方の信号は、温度補正回路１０１、可変アッテネータ１０２、増幅器１０３、スロープ設定回路１０４、増幅器１０５を介して取出される。この増幅器１０５の電源端子には、アンプＯＮ／ＯＦＦスイッチ１０６を介して動作電源が供給される。
【００９０】
上記増幅器１０５で増幅された信号は、分岐信号として出力設定カード１０７に入力される。この出力設定カード１０７は、２つの出力端子ａ、ｂを備え、［JUMPER］及び［Ｄ２］の出力設定機能を備えている。［JUMPER］は出力端子ａ、ｂの１方向、例えば出力端子ａ側から信号を出力し、［Ｄ２］は入力信号を２分配して出力端子ａ、ｂの両方から出力する。
【００９１】
上記出力設定カード１０７の出力端子ｂから出力される信号は、方向性結合器１０８を介して出力設定カード１０９へ送られる。この出力設定カード１０９は、２つの出力端子ａ、ｂを備え、［JUMPER］、［Ｄ２］、［ＤＣ７］、［ＤＣ１２］の出力設定機能を備えている。［JUMPER］は、出力端子ａ、ｂの１方向、例えば出力端子ａ側から信号を出力し、［Ｄ２］は入力信号を２分配して出力端子ａ、ｂの両方から出力する。また、［ＤＣ７］は［−７ｄＢ］減衰した信号を出力端子ａ、［−２ｄＢ］減衰した信号を出力端子ｂから出力し、［ＤＣ１２］は［−１２ｄＢ］減衰した信号を出力端子ａ、［−１ｄＢ］減衰した信号出力端子ｂから出力する。出力設定カード１０９の出力端子ａから出力される信号は、ＰＳＦ１１０を介して第１の分岐出力端子１１１へ送られ、出力設定カード１０９の出力端子ｂから出力される信号は、ＰＳＦ１１２を介して第２の分岐出力端子１１３へ送られる。また、上記方向性結合器１０８で分岐された信号は、モニタ端子１１４から外部のモニタ機器へ送られてモニタされる。
【００９２】
また、上記出力設定カード１０７の出力端子ａから出力される信号は、切替回路３０の第２の入力端子３２に入力される。そして、この切替回路３０の第２の出力端子３４から出力される信号は、方向性結合器１１５を介して出力設定カード１１６に入力される。この出力設定カード１１６は、２つの出力端子ａ、ｂを備え、上記出力設定カード１０９と同様に［JUMPER］、［Ｄ２］、［ＤＣ７］、［ＤＣ１２］の出力設定機能を備えている。
【００９３】
上記出力設定カード１１６の出力端子ａから出力される信号は、ＰＳＦ１１７を介して第３の分岐出力端子１１８へ送られる。また、出力設定カード１１６の出力端子ｂから出力される信号は、ＰＳＦ１１９を介して第４の分岐出力端子１２０へ送られる。
【００９４】
また、上記方向性結合器１１５によって分岐された信号は、モニタ端子１２１から外部のモニタ機器へ送られてモニタされる。
【００９５】
上記のように構成された幹線分岐増幅器７０において、切替回路３０における第１のスライドスイッチ３５ａ及び第２のスライドスイッチ３５ｂの可動接点Ｄ１、Ｄ２を上側に設定し、第３のスライドスイッチ３５ｃ及び第４のスライドスイッチ３５ｄの可動接点Ｄ１、Ｄ２を下側に設定した場合には、図２で説明したように端子仕様１が指定され、増幅器９５で増幅された幹線信号が切替回路３０の第１のスライドスイッチ３５ａ及び第２のスライドスイッチ３５ｂを経由して幹線出力端子９９から出力される。また、出力設定カード１０７の出力端子ａから出力される分岐信号が切替回路３０の第３のスライドスイッチ３５ｃ及び第４のスライドスイッチ３５ｄを経由し、出力設定カード１１６を介して第３の分岐出力端子１１８から出力されるようになる。このとき出力設定カード１１６を［JUMPER］以外の機能に設定している場合には、第３の分岐出力端子１１８及び第４の分岐出力端子１２０の両方から分岐信号が出力される。
【００９６】
また、切替回路３０における第１のスライドスイッチ３５ａ及び第２のスライドスイッチ３５ｂの可動接点Ｄ１、Ｄ２を下側に設定し、第３のスライドスイッチ３５ｃ及び第４のスライドスイッチ３５ｄの可動接点Ｄ１、Ｄ２を上側に設定した場合には、図３で説明したように端子仕様２が指定されて第１〜第４のスライドスイッチ３５ａ〜３５ｄがクロスして接続された状態となり、増幅器９５で増幅された幹線信号が切替回路３０の第１のスライドスイッチ３５ａ及び第４のスライドスイッチ３５ｄを経由し、出力設定カード１１６を介して第３の分岐出力端子１１８（または第３の分岐出力端子１１８及び第４の分岐出力端子１２０の両方から）から出力される。また、出力設定カード１０７の出力端子ａから出力される分岐信号が切替回路３０の第３のスライドスイッチ３５ｃ及び第２のスライドスイッチ３５ｂを経由し、幹線出力端子９９側から出力されるようになる。
【００９７】
上記実施形態によれば、ＣＡＴＶ伝送用増幅器の端子仕様を複数の機械式スイッチを用いて切替設定する場合、スイッチ操作によって端子仕様を容易に切替えることができると共に、スイッチ操作時の設定エラーを確実に検知して作業者に報知することができる。
【００９８】
なお、上記実施形態では、機械式スイッチとしてスライドスイッチ３５ａ〜３５ｄを用いた場合について示したが、上記実施形態に示したものと同様の回路を構成し得るものであれば、例えばトグルスイッチやロータリスイッチ等、スライドスイッチ以外のスイッチを使用しても良いことは勿論である。
【００９９】
また、上記実施形態では、幹線分岐増幅器に実施した場合について示したが、その他、例えば幹線分配増幅器等のＣＡＴＶ伝送用増幅器であっても、上記実施形態と同様にして実施することができる。
【０１００】
また、本発明は、上記実施形態そのままに限定されるものではなく、実施段階ではその要旨を逸脱しない範囲で構成要素を変形して具体化できるものである。
【符号の説明】
【０１０１】
３０…切替回路、３１…第１の入力端子、３２…第２の入力端子、３３…第１の出力端子、３４…第２の出力端子、３５ａ〜３５ｄ…第１〜第４のスライドスイッチ、４１、４４〜４７、５４〜６１、６５、６６…コンデンサ、４２、４９、５２、６３…抵抗、４３、４８、６２、６４…チョークコイル、５１…トランジスタ、５３、６７、６８…発光ダイオード、７０…幹線分岐増幅器、７１…下り入力端子、７２、９８、１１０、１１２、１１７、１１９…ＰＳＦ、７３、７８、８２、９７、１１５…方向性結合器、７４、１００、１１４、１２０、１２１…モニタ端子、７５…ＥＱカード、７６…可変アッテネータ、７７、８１、８７、９３、９５、１０３、１０５…増幅器、７９…内部調整用モニタ端子、８０…ＡＧＣ回路、８３…ハイパスフィルタ、８４…２分配器、８５…バンドパスフィルタ、８６…ＡＧＣ設定用アッテネータ、８８…ＡＧＣ制御回路、８９…ＭＧＣコントロール回路、９０…切替スイッチ、９１、１０１…温度補正回路、９２、１０２…可変アッテネータ、９４、１０４…スロープ設定回路、９６、１０６…アンプＯＮ／ＯＦＦスイッチ、９９…幹線出力端子、１０７、１０９、１１６…出力設定カード、１１１…第１の分岐出力端子、１１３…第２の分岐出力端子、１１８…第３の分岐出力端子、１２０…第４の分岐出力端子。
【図１】
0005676375.tif 000002
【図２】
0005676375.tif 000003
【図３】
0005676375.tif 000004
【図４】
0005676375.tif 000005
【図５】
0005676375.tif 000006
【図６】
0005676375.tif 000007
【図７】
0005676375.tif 000008
【図８】
0005676375.tif 000009
【図９】
0005676375.tif 000010
【図１０】
0005676375.tif 000011